(57)【特許請求の範囲】
【請求項１】
電気機器と収納部との間の隙間を覆うサイドカバーであって、
第１の前面と、天面と、左右いずれか一方の第１の側面と、底面とを有し、前記電気機器の本体に取り付けられる第１の部品と、
第２の前面と、前記第１の部品の第１の側面と接する第２の側面とを有する断面形状が略Ｌ字形の矩形状の第２の部品とを備え、
前記第１の部品の第１の側面は上下に少なくとも２つの係合部を備え、
前記第２の部品の第２の側面は、前記係合部と係止する少なくとも２つの係止部を備え、
前記第１の側面と前記第２の側面が接した状態で、前記第１の部品の最下部の係合部と前記第２の部品の最下部の係止部を支点として前記第２の部品の上端部が回動されることにより、前記２つの係合部に前記２つの係止部がそれぞれ係止されることを特徴とするサイドカバー。
【請求項２】
前記第２の部品が前記第１の部品に係合したとき、前記第１の部品の前面と前記第２の部品の前面はほぼ面一となることを特徴とする請求項１に記載のサイドカバー。
【請求項３】
前記係合部は、前記第１の側面の一部を切り起こして形成され外方へ突出した架橋で構成され、
前記第２の係止部は、前記第２の側面を一部切り欠いて形成された下向きの爪で構成され、さらに最下部の係止部は、前記下向きの爪に加えて、この爪よりも前記第２の前面に近い方に前記第２の側面をさらに一部切り欠いて形成された上向きの凹部と前記下向きの爪と前記上向きの凹部との間を結ぶように上向きに凸の曲線に切り欠いて形成されたＲ部とを備えたことを特徴とする請求項１または請求項２に記載のサイドカバー。
【請求項４】
前記Ｒ部は、上方に凸になる円弧状の曲線で構成され、前記凹部との境界付近に下向きの円弧状の曲線を一部含むことを特徴とする請求項３に記載のサイドカバー。
【請求項５】
前面に扉を有する箱状の加熱部を収容する本体ケースと、
この本体ケースの上面を覆う天板と、
前記本体ケースの、前記左右の両側面の少なくとも一方と前記前面との境界を示す角部及びその周囲を覆う請求項１〜４のいずれか一項に記載のサイドカバーと、を備えたことを特徴とする加熱調理器。
【請求項６】
前記サイドカバーの第１の部品の第１の前面は前記本体ケースの前面パネルと接し、前記第１の部品の天面は前記本体ケースの天面と接し、前記第１の部品の第１の側面は前記本体ケースの側面と接し、前記第１の部品の底面は前記本体ケースの底面と接するように、前記第１の部品は前記本体ケースを覆い、前記第１のケースの天面、第１の側面、底面の少なくとも２つの面が前記本体ケースに固定されることを特徴とする請求項５に記載の加熱調理器。
【請求項７】
前記サイドカバーは金属で構成されることを特徴とする請求項５または請求項６に記載の加熱調理器。
【請求項８】
加熱調理器をキッチンに取り付ける時に、以下の手順でサイドカバーを取り付けることを特徴とするサイドカバーの取付け方法。
（ア）予め、前記サイドカバーの第１の部品を加熱調理器の本体ケースの左右の少なくともいずれか一方に取り付けておくステップ、
（イ）前記第１の部品を備えた加熱調理器をキッチンの収納部に収納するステップ、
（ウ）前記サイドカバーの第２の部品をその上端を前方へその下端を後方へ所定の角度傾けた状態で、前記第１の部品の側面の最下部に設けられた架橋の差し込み口に前記第２の部品の下部の爪を差し込むステップ、
（エ）前記サイドカバーの第２の部品のＲ部を前記第１の部品の架橋の縁に押し当てた状態で、前記架橋の縁を支点として前記第２の部品の上端部を後方へ回動するステップ、
（オ）前記第２の部品の回動により前記第２の部品の上部の下向きの爪が所定の位置に到達したとき、前記第２の部品を落とし込んで前記第１の部品の架橋の差し込み口に係合させるステップ。
【発明の詳細な説明】
【技術分野】
【０００１】
この発明は、加熱調理器に使用されるサイドカバーおよびこのサイドカバーを備えた加熱調理器およびサイドカバーの取付け方法に関するものである。
【背景技術】
【０００２】
一般に、組込式の加熱調理器を設置するキッチンは、加熱調理器を挿入する上面開口部と、挿入後に本体前面部が位置する前面開口部とを有し、上面開口部の左右幅Ａより前面開口部の左右幅Ｂは広い（一般にＡ＝５６０ｍｍ、Ｂ＝６００ｍｍ）。したがって、加熱調理器を設置後は、前面の左右に隙間（約２０ｍｍ）が発生し、これを覆う必要性が生じる。
従来の組込式の加熱調理器として、設置後の本体側方とキッチンとの隙間をサイドカバーで左右とも隠すものが知られている。しかしながら、このサイドカバーは樹脂製で、爪によるはめ込みで固定され、且つ加熱室の扉部の近傍にあるため、扉部の開閉時等、使用者が接触した際にサイドカバーに衝撃が加わると割れて落下してしまうという問題があった。
この問題を解決した従来の組込式の加熱調理器として、サイドカバーを加熱室の扉部の後方に設け、さらに、前記扉部の内面と接触し、扉開閉に応じて弾性体の付勢力により前方へ可動する可動体を備えたものが知られている（例えば、特許文献１参照）。
【先行技術文献】
【特許文献】
【０００３】
【特許文献１】特開２００６−３０８１１３号公報
【発明の概要】
【発明が解決しようとする課題】
【０００４】
しかしながら、特許文献１に記載の従来の組込式の加熱調理器においては、可動部により扉開閉時に出っ張り感があり、見栄えが悪いという問題が有った。また、サイドカバーの他に可動部を備えたため、構成部品が増えて取付け作業が煩雑となり、コスト上昇を招くという問題点があった。
【０００５】
本発明は上記のような問題点を解決するために為されたものであり、主な目的は、加熱室の扉を開閉した時でも見栄えを損ねることなく、取付け作業が簡単であり、製造コストの低減が可能なサイドカバーおよびこのサイドカバーを備えた加熱調理器およびサイドカバーの取付け方法を提供することにある。
【課題を解決するための手段】
【０００６】
本発明に係るサイドカバーは、電気機器と収納部との間の隙間を覆うサイドカバーであって、第１の前面と、天面と、左右いずれか一方の第１の側面と、底面とを有し、電気機器の本体に取り付けられる第１の部品と、第２の前面と、第１の部品の第１の側面と接する第２の側面とを有する断面形状が略Ｌ字形の矩形状の第２の部品とを備え、第１の部品の第１の側面は上下に少なくとも２つの係合部を備え、第２の部品の第２の側面は、係合部と係止する少なくとも２つの係止部を備え、第１の側面と第２の側面が接した状態で、第１の部品の最下部の係合部と第２の部品の最下部の係止部を支点として第２の部品の上端部が回動されることにより、前記２つの係合部に前記２つの係止部がそれぞれ係止されるものである。
【発明の効果】
【０００７】
本発明によれば、サイドカバーは、電気機器の本体ケースの前面の左右の少なくともいずれか一方の側面に予め取り付けられる第１の部品と、この第１の部品の側面と接する側面を有する第２の部品とを備え、第１の部品の側面の最下部の係合部と第２の部品の側面の最下部の係止部を支点として第２の部品の上端部が回動されることにより、前記２つの係合部に前記２つの係止部が係合するので、取付け作業が簡単であり、特別な工具や部品が不要であるため、製造コストの低減が可能である。また、第１の部品と第２の部品は前記２つの係合部と前記２つの係止部により位置決めされるので、第１の部品の前面と第２の部品の前面はほぼ面一となり、加熱室の扉を開閉する時でも見栄えを損なわない。
【図面の簡単な説明】
【０００８】
【図１】本発明の実施の形態におけるキッチンに組込んだ状態の加熱調理器の斜視図である。
【図２】本発明の実施の形態における加熱調理器の外観を示す斜視図である。
【図３】本発明の実施の形態における加熱調理器のキッチンに収納されている様子を示す前面の外観図である。
【図４】本発明の実施の形態における加熱調理器の本体を収納した後の取り付け手順を示す図である。
【図５】本発明の実施の形態におけるサイドカバー５０の構成を示す図である。
【図６】図５のサイドカバー５０の第２の部品５２の要部を拡大した図である。
【図７】本発明の実施の形態におけるサイドカバー５０の取付け手順を示す図である。
【図８】図７の要部拡大図である。
【発明を実施するための形態】
【０００９】
実施の形態．
図１は本発明の実施の形態におけるキッチンに組込んだ状態の加熱調理器の斜視図である。また、図２は本発明の実施の形態における加熱調理器の外観を示す斜視図であり、図２（ａ）は前方斜視図、図２（ｂ）は後方斜視図である。
図１及び図２に示すように、加熱調理器１００は、外郭を構成する本体ケース１０と、本体ケース１０の上面を覆うとともに本体をキッチン２００の上面開口部（図示せず）から下方へ落とし込んで設置するときに本体１１を支える天板２０とから構成されている。また、本体ケース１０の後方下部は図２（ｂ）に示すように後方へ行くに連れて上下方向に幅が狭くなるような傾斜が形成されている。また、本体１１は上下に２段の構成となっており、本体１１内の上段には、加熱コイル（図示せず）が左右の前側に１つずつ配設されており、左右中央の後方にはラジエントヒーター（図示せず）が配設されている。また、本体１１の下段の前部は、図２（ｂ）に示すように天板２０よりも前方へ若干突出しており、突出した部分の上面には、金属板の天面が施されている。本体１１の下段の左側には、ヒーター（図示せず）を備えた箱状の加熱室３０が収容されており、この加熱室３０の前面には加熱室３０の引き出し、押し込みを操作するための扉３１が設けられている。従って、本体ケース１０の前面の左側には加熱室３０の扉３１が配置される。
また、図２（ａ）と図２（ｂ）に示すように本体ケース１０の前面左側にサイドカバー５０が取付けられている。
【００１０】
また、図３は本発明の実施の形態における加熱調理器のキッチンに収納されている様子を示す前面の外観図であり、同時にサイドカバーの取付け状態を示している。ここでは、サイドカバーの取付け状態を示すために、加熱室３０の扉３１と意匠パネル４０を取り外している。また、図３に示すようにキッチン２００の上面には天板２０の前部が見え、キッチン２００の前面には、本体ケース１０の前面が見えている。本体ケース１０の前面は、左端にサイドカバー５０が取付けられ、さらに意匠を兼ねた下ルーバー６０と上ルーバー７０が取り付けられてサイドカバー５０を前方から押さえつけている。さらに、右側は意匠パネル４０が取り付けられている。さらに本体ケース１０の前面の左側に加熱室３０の扉３１を取付けることで、扉３１と意匠パネル４０が左右に隣接した状態で配設され、加熱室３０の開口部３２は扉３１によって隠される。また、本体ケース１０とキッチン２００との間のすべての隙間は意匠パネル４０、サイドカバー５０、下ルーバー６０および上ルーバー７０によって隠される。
【００１１】
また、図４は本発明の実施の形態における加熱調理器の本体を収納した後の取り付け手順を示す図である。次に取り付け手順を説明する。
図４（ａ）に示すように、加熱調理器１００の本体１１をキッチン２００に収納したとき、本体ケース１０の前面の左側には加熱室３０の開口部３２が位置している。また、本体ケース１０の前面とキッチン２００との間には左右両側及び下方に隙間３００が発生する。そこで、この隙間３００を隠す必要があり、図４（ｂ）に示すように、本体ケース１０の前面の左側にサイドカバー５０を取り付ける。これにより、左側の隙間は隠される。次に、本体ケース１０の前面の下部に下ルーバー６０を取り付ける。これにより、下方の隙間は隠される。さらに本体ケース１０の前面の上部に上ルーバー７０を取り付ける。これにより、サイドカバー５０は前方から押さえつけられ、同時に右側上部の隙間は上ルーバー７０によって隠される。次に、本体ケース１０の前面の右側に意匠パネル４０を取り付ける。これにより、右側の隙間は隠される。次に、図４（ｃ）に示すように、加熱室の扉３１を取り付ける。これにより、扉３１を閉じた状態では、加熱室３０の開口部３２が隠れる。以上により、キッチン２００と本体ケース１０の間のすべての隙間を隠すことができる。また、加熱室３０を引き出すために扉３１を開いた時も、すべての隙間はサイドカバー５０及び意匠パネル４０、下ルーバー６０および上ルーバー７０によって、完全に隠されているため、デザイン性を損なうことはない。
【００１２】
次に、本発明に係るサイドカバー５０の構成について説明する。
図５は本発明の実施の形態におけるサイドカバー５０の構成を示す図である。サイドカバー５０は、本体ケース１０の前面左側とキッチン２００との間の隙間を隠すものであり、加熱室３０からの高温の油煙が漏れ出た場合にも変形しないようにステンレス鋼などの金属材で構成される。また、金属であれば、樹脂材と異なり、取付け時に爪が割れたりする虞がない。また、本体ケース１０と同じ材料にすれば、意匠性を損なう虞もない。このサイドカバー５０は図５に示すように、第１の部品５１と第２の部品５２から構成されており、第１の部品５１は、前面と、天面と、左側面と、底面とを有しており、第１の部品の前面が本体ケース１０の前面と接し、第１の部品の天面が本体ケース１０の前方突出部の天面と接し、第１の部品の左側面が本体ケース１０の左側面と接し、第１の部品の底面が本体ケース１０の底面と接するように第１の部品は本体ケース１０の前面左側とその周囲を覆うように構成されている。第１の部品５１によって本体ケース１０の前面左側とその周囲を覆った後、第１の部品５１の左側面を２つのネジで本体ケース１０の左側面に固定し、第１の部品５１の底面を１つのネジで本体ケース１０の底面にネジ止めにより予め固定しておく。また、第１の部品５１の天面には、上方へ突出した架橋が形成されており、この架橋に前方から上ルーバー７０に設けられた突起が挿入されることで、上ルーバー７０によって本体ケース１０の前面に押さえつけられた状態で固定される。
なお、第１の部品５１の前面の右側端部の上下の中央部には加熱室３０の扉３１の開口部３２の左側の部分の形状に合うような切り欠きが形成されている。
第２の部品５２は、前面と、右側面とから構成され、断面形状は略Ｌ字状となっている。第１の部品が取付けられた本体ケース１０をキッチン２００に収納した後、本体ケース１０の前面左側とキッチン２００との間の隙間を隠すために、第２の部品５２の右側面を第１の部品５１の左側面に接した状態で合体させる。合体した後、第２の部品５２の前面は第１の部品５１の前面とほぼ面一になるのでデザイン的に優れたものになる。
【００１３】
次に、サイドカバー５０の構造について詳細に説明する。
図５に示すように、第１の部品５１の前面は４０ｍｍ前後の幅と６５ｍｍ前後の長さを有する金属板で構成され、孔や突出部がない。また、第１の部品５１の左側面は１９ｍｍ前後の幅と６５ｍｍ前後の長さを有する金属板で構成され、この左側面には係止部として上部と下部に１つずつ外方へ突出した架橋５３ａ、５３ｂが形成されている。各架橋５３ａ、５３ｂは、第１の部品５１の金属板に上下方向に幅２ｍｍ〜３ｍｍで長さが約１０ｍｍの長手方向が略水平な２つのスリット５４を形成し、この２つのスリット５４で挟まれた幅が４ｍｍ前後で長さが約１０ｍｍの部分を絞り加工によって板面より外方へ突出させることで構成される。第１の部品５１の左側面には本体ケース１０に固定させるとともに密着性を向上させるためのネジ取付け用のネジ孔５５ａ、５５ｂが上下方向に１つずつ形成されている。また、第１の部品の天面には上ルーバー７０の係止部と係合することで固定される上向きの山形の架橋５６が構成されている。また、第１部品５１の底面にはネジ取り付け用のネジ孔５５ｃが切り欠けにより形成されている。
【００１４】
また、第２の部品５２の前面は平板状であり、孔や係止部などはない。また、第２の部品５２の右側面には係止部として上部と下部にそれぞれ第１の部品５１の２つの架橋５３ａ、５３ｂに挿入するための下向きの爪５７ａ、５７ｂ（深さが約３ｍｍ）が１つずつ形成されている。この爪５７ａ、５７ｂは、第２の部品５２の右側面の金属板を一部切り欠いて形成されたものである。
図６は、図５のサイドカバー５０の第２の部品５２の要部を拡大した図である。図６に示すように、第２の部品の右側面の金属板の下部の爪５７よりも前面に近い方の部分をさらに切り欠いて形成された上向きの凹部５８と前記下向きの爪５７と前記上向きの凹部５８との間を結ぶように上向きに凸の円弧状の曲線を切り欠いて形成されたＲ部５９とを有する。このＲ部５９は、図６に示すように爪５７ｂから連続的に上方へ曲がった後、凹部５８へ到達する前に０．１ｍｍ程度下方へ下がるような曲線を描く。
【００１５】
次に、本体ケース１０の前面にサイドカバー５０を取付ける手順について説明する。
図７は本発明の実施の形態におけるサイドカバー５０の取付け手順を示す図であり、図８はその要部拡大図である。
サイドカバー５０の取付け手順は以下の通りである。
（ア）作業者は、予めサイドカバー５０の第１の部品５１を加熱調理器１００の本体ケースの前面左側を覆うように取り付けてネジで固定しておく。
（イ）そして、サイドカバー５０の第１の部品５１を備えた加熱調理器１００の本体１１をキッチン２００の上開口部から落としこんでキッチン２００に収納する。このとき、本体ケース１０とキッチン２００との間には下部及び左右に隙間が見えている。
（ウ）次に、作業者は、サイドカバー５０の第２の部品５２を手で持ちながら左側の隙間まで移動させる。そして、サイドカバー５０の第２の部品５２の下方が第２の部品５２の裏側を通して見えるように第２の部品５２を傾けた状態で、すなわち、第２の部品５２の上端が作業者側に近づき且つ下端が作業者から遠くへ離れるように約４５°傾けた状態でサイドカバー５０の第２の部品５２を両手または片手で持ちながら、サイドカバー５０の第１の部品５１の側面の下部に設けられた架橋５３ｂの差し込み口に第２の部品５２の下部の爪５７ｂを図７（ａ）および図８（ａ）に示すように差し込む。そして、差し込まれたことを第２の部品５２の裏側を通して目視で確認すると、この爪５７ｂとこの爪５７ｂより手前側に形成された上向きの凹部５８との間のＲ部５９を架橋の縁に押し当てる。
（エ）次に、作業者は、サイドカバー５０の第２の部品５２のＲ部５９を第１の部品５１の架橋５３ｂの縁に押し当てた状態で、図７（ａ）に矢印で示すようにこの架橋５３ｂの縁を支点としてサイドカバー５０の第２の部品５２の上端部を後方へ回動させる。回動が進むに連れて、第１の部品と第２の部品が成す角度は図７および図８の（ａ）の４５°から（ｂ）の１５°、（ｃ）の５°と順次変化していく。このとき第１の部品５１の下部の架橋５３ｂの縁に差し込まれた第２の部品５２は下部の爪５７ｂに連続しているＲ部５９の曲線に沿って、回動する。このとき、Ｒ部の凹部５８との境界付近に０．１ｍｍ程度下方へ下がるような曲線（段差）があるため、回動がスムーズになる。
（オ）第２の部品５２の回動により（ｃ）の位置に到達したとき、上部の下向きの爪５７ａは第１の部品５１の側面の上部に設けられた架橋５３ａよりも上に位置する。そこで、作業者は第１の部品を僅かに前方へ押し込みながら上下２つの架橋の差し込み口へ上下の爪５７ａ、５７ｂを下方に落とし込んで挿入し係合を完了させる。
この時、図７（ｅ）（平面図）に示すように、第１の部品と第２の部品の全面は密接状態になるとともに第１の部品の前面と第２の部品の前面はほぼ面一となる。
従って、特許文献１と異なり、加熱室３０の扉３１の開閉時にも出っ張り感がなく、デザイン性を損なうことがない。
【００１６】
なお、上記の例では、サイドカバー５０を本体ケース１０の前面左側に取付ける場合について説明したが、これに限る必要はなく、前面右側に取付けても良いし、両側に取付けても良い。
また、前記サイドカバー５０が加熱調理器に用いられる場合について説明したが、これに限る必要はなく、前記加熱調理器とほぼ同じ形状の他の電気機器をキッチンなどの収納部に収納する場合にも用いることが可能である。
【符号の説明】
【００１７】
１０  本体ケース、１１  本体、２０  天板、３０  加熱室、３１  扉、３２  開口部、４０  意匠パネル、５０  サイドカバー、５１  第１の部品、５２  第２の部品、５３、５３ａ、５３ｂ  架橋、５４  スリット、５５、５５ａ、５５ｂ、５５ｃ  ネジ孔、５６  架橋、５７、５７ａ、５７ｂ  爪、５８  凹部、５９  Ｒ部、６０  下ルーバー、７０  上ルーバー、１００  加熱調理器、  ２００  キッチン、３００  隙間。
【図１】
0005478422.tif 000002
【図２】
0005478422.tif 000003
【図３】
0005478422.tif 000004
【図４】
0005478422.tif 000005
【図５】
0005478422.tif 000006
【図６】
0005478422.tif 000007
【図７】
0005478422.tif 000008
【図８】
0005478422.tif 000009